(57)【特許請求の範囲】
【請求項１】
デジタルデータが記録された記録媒体から読み出された信号を前記デジタルデータに復号するリードチャネル部と、
読み出された前記信号の状態を検出する信号状態検出手段と、
復号された前記デジタルデータの誤り訂正を行う誤り訂正部と、
検出された前記信号の状態が前記誤り訂正部で誤り訂正不可能な状態かどうかを判断する訂正不能判断手段と、
検出された前記信号の状態が前記誤り訂正部で誤り訂正不可能な状態であると判断された場合、少なくとも前記誤り訂正部へクロックを供給しないまたは前記誤り訂正部へ供給するクロックの時間間隔を所定の時間間隔より遅くするよう制御する制御手段とを備え、
前記リードチャネル部は、前記信号をパーシャルレスポンス等化する等化器を有し、
前記信号状態検出手段は、前記パーシャルレスポンス等化した多値信号のレベルを判別し、前記判別したレベルの時系列に連続するパターンと予め定められたパターンとが一致するか否かを判定した結果を前記訂正不能判断手段に出力し、
前記訂正不能判断手段は、前記信号状態検出手段から入力される判定結果に基づいて前記信号が前記誤り訂正部で誤り訂正不可能な状態かどうかを判断する、データ再生装置。
【請求項２】
前記制御手段は、検出された前記信号の状態が前記誤り訂正部で誤り訂正不可能な状態であると判断された場合、前記制御を行うとともに、読み出された前記信号のうち前記誤り訂正不可能な状態であると判断された部分に対応する前記デジタルデータの部分を読み出された前記信号として前記記録媒体から再度読み出すよう制御し、その再度読み出された前記信号の状態が前記誤り訂正部で誤り訂正不可能な状態であるとは判断されなかった際、前記誤り訂正部へ前記クロックを供給するまたは前記誤り訂正部へ供給する前記クロックの時間間隔を所定の時間間隔にするよう制御する、請求項１記載のデータ再生装置。
【請求項３】
前記制御手段は、検出された前記信号の状態が前記誤り訂正部で誤り訂正不可能な状態であると判断された場合、前記制御を行うとともに、読み出された前記信号のうち前記誤り訂正不可能な状態であると判断された部分に対応する前記デジタルデータの部分の次に読み取るべき部分を次に読み出された前記信号として前記記録媒体から読み出すよう制御し、次に読み出された前記信号の状態が前記誤り訂正部で誤り訂正不可能な状態であるとは判断されなかった際、前記誤り訂正部へ前記クロックを供給するまたは前記誤り訂正部へ供給する前記クロックの時間間隔を所定の時間間隔にするよう制御する、請求項１記載のデータ再生装置。
【請求項４】
読み出された前記信号の状態を検出するとは、前記検出したレベルの連続するパターンが予め定められたパターンと異なることを読み出された前記信号の状態が不良であるとして検出することであり、
前記訂正不能判断手段は、前記信号状態検出手段が所定の期間に前記信号の状態が不良であることを検出した検出数をカウントし、前記検出数が所定の基準値を上回った場合、前記誤り訂正部で誤り訂正不可能と判断する、請求項１〜３のいずれかに記載のデータ再生装置。
【請求項５】
前記信号状態検出手段は、前記デジタルデータの記録符号と前記パーシャルレスポンスの組合せによって決定されるパターンと異なるパターンを検出することによって、読み出された前記信号が不良であることを検出する、請求項４記載のデータ再生装置。
【請求項６】
前記信号状態検出手段は、予め定められたパーシャルレスポンスのパターンと異なるパターンを検出することによって、読み出された前記信号が不良であることを検出する、請求項４記載のデータ再生装置。
【請求項７】
前記信号状態検出手段は、前記デジタルデータの記録符号と前記パーシャルレスポンスの組合せによって決定されるパターンを検出することによって及び／または予め定められたパーシャルレスポンスのパターンと異なるパターンを検出することによって、読み出された前記信号の不良を検出する、請求項４記載のデータ再生装置。
【発明の詳細な説明】
【０００１】
【発明の属する技術分野】
本発明は、デジタルデータが記録された記録媒体から読み出して誤り訂正するデータ再生装置、データ再生方法、及びプログラムに関するものである。
【０００２】
【従来の技術】
従来のデジタル記録媒体からデータを再生する装置の消費電力の低減に関する文献としては、例えば、特開平５−２５８４６０号公報がある。
【０００３】
まず、この文献に基づいて第１の従来の技術を説明する。
【０００４】
この文献では、デジタル記録媒体に対するアクセス動作中（シーク動作に対応）において、デジタル信号を信号処理するデジタル信号処理回路のうち、位置指標データを取り扱う回路部分は必要であるが、メインデータを取り扱う回路部分は不必要であることに着目している。
【０００５】
ここで、ＣＤの場合について説明すると、メインデータとは、音楽データそのものである。また、位置指標データとは、経過時間などの再生位置を示すデータである。
【０００６】
具体的には、位置指標データとして、まず、リードインエリアに記録されているＴＯＣと呼ばれる索引情報がある。この索引情報は、音楽用ＣＤの場合には各曲の開始位置や総曲数や総演奏時間等の情報である。また、位置指標データとして、再生により１／７５秒の周期で１ブロックが完成される際に記録されるサブコード信号がある。このサブコード信号はＰ〜Ｗチャンネルの８チャンネルから構成され、音楽用ＣＤにおいてはその中のＰチャンネルに信号トラックの視点からの絶対経過時間、各曲の経過時間、曲番、インデックスを示すデータが記録されている。
【０００７】
すなわち、データを再生するためにＣＤなどのデジタル記録媒体に対してアクセス動作中（シーク動作中）には、デジタル信号を信号処理するデジタル信号処理回路のうち、位置指標データを取り扱う回路部分は、音楽データの再生位置を常に把握しておく必要があるので、必要である。しかし、アクセス動作中（シーク動作中）には音楽データそのもの等であるメインデータは入力されてこないので、メインデータを取り扱う回路部分は不必要になる。
【０００８】
そして、デジタル記録媒体には、一般的にメインデータの誤り検出・訂正を行う為の誤り検出・訂正用データ（パリティ）がメインデータに付加されて記録されており、メインデータの誤り検出・誤り訂正が行える様になされている。
【０００９】
しかし一般に、デジタル信号処理において、このパリティを用いてメインデータの誤り検出・訂正を行うための回路部分で多くの電力が消費される。従って、アクセス動作中（シーク動作中）において、不必要な誤り検出・訂正の為に多くの電力を消費するという問題がある。
【００１０】
このような問題を考慮し、第１の従来の技術では、デジタル記録媒体へのアクセス動作中（シーク動作中）には、前記位置指標データを取り扱わない回路の動作を停止させる制御を行う制御手段を備えることによって、アクセス動作中（シーク動作中）に、前記位置指標データを取り扱わない回路の動作を停止するようにして、電力の消費を低減させている。すなわち、この制御手段は、誤り検出・訂正を行う回路部分が動作するためのクロックを誤り検出・訂正を行う回路部分に供給することを停止するよう制御して、電力の消費を低減させている。
【００１１】
次に、第２の従来の技術として、この文献の他の部分について説明する。すなわち、この文献の他の部分には、デジタル記録媒体から、デジタルデータを検出するデータ検出部と、誤り検出・訂正を行う誤り検出・訂正回路と、前記誤り検出・訂正回路で、誤り訂正が不可能なメインデータをその前後に得られたメインデータに応じて補間する補間回路とを備える構成が開示されている。
【００１２】
この場合、前記誤り検出・訂正回路から訂正不可信号が発せられ、前記訂正不可信号が前記補間回路の補間能力以上発生すると、メモリへのデータ書き込みを中止し、前記メモリへの書き込みの中止に応じて、アクセス動作（シーク動作）を行い、アクセス動作中（シーク動作中）には、前記位置指標データを取り扱わない回路の動作を停止するようにして、電力の消費を低減させていた。
【００１３】
また、第３の従来の技術として、誤り検出・訂正回路で誤り訂正が不可能な場合にその前後に得られたメインデータに応じて補間する補間回路を備えていない構成について説明する。第３の従来の技術は上記文献とは別の例である。この場合には、デジタル記録媒体から読み出されたメインデータは、メインデータの誤り検出・訂正を行う為の誤り検出・訂正用データ（パリティ）を用いてメインデータの誤り検出・訂正を行うための回路部分で誤り検出・訂正が行われる。そしてパリティを用いて誤り検出・訂正を行うための回路部分で誤りが検出され、誤り訂正を行っても誤り訂正が不可能な場合は、誤り訂正が不可能であったメインデータの部分を再度デジタル記録媒体から読み出す処理を行っている。
【００１４】
【発明が解決しようとする課題】
しかし、第２の従来の技術では、誤り訂正不能であることの検知は前述の様に誤り検出・訂正の回路で行われるため、訂正不能信号を発した時には、誤り訂正回路は動作しており、データ品質が悪く訂正できるはずも無い場合でも、誤り訂正回路が動作し、消費電力の低減が十分行われていなかった。
【００１５】
また、第１の従来の技術や第３の従来の技術では、データの品質が悪く誤り訂正を行っても訂正できるはずも無い場合でも、誤り訂正できないことを検出するまでは、パリティを用いて誤り検出・訂正を行う回路部分が誤り検出・訂正のために動作する。従って、誤り訂正が不可能な場合には、この誤り検出・訂正を行う回路部分は無駄な動作をしており、消費電力の低減が十分行われていない。
【００１６】
すなわち、データが記録されているデジタル記録媒体からデータを読み取って再生する場合には、そのデータに記録時に付加されたパリティなどの誤り訂正符号を用いて誤り検出・訂正を行う回路は、読み出されたデータが誤り訂正不可能な場合であっても誤り検出・訂正のために動作するのでその分消費電力の低減が行えない。
【００１７】
すなわち、誤り検出・訂正を行う回路は、デジタル記録媒体から読み取られたデータが誤り訂正不可能な場合であっても、データとともに記録された誤り検出・訂正用データ（パリティ）を用いて誤り検出・誤り訂正を行うので、消費電力の低減が十分行われていないという課題がある。
【００１８】
本発明は、上記課題を考慮し、消費電力を低減することが出来るデータ再生装置、データ再生方法、及びプログラムを提供することを目的とするものである。
【００１９】
【課題を解決するための手段】
上述した課題を解決するために、第１の本発明（請求項１に対応）は、デジタルデータが記録された記録媒体から読み出された信号を前記デジタルデータに復号するリードチャネル部と、
読み出された前記信号の状態を検出する信号状態検出手段と、
復号された前記デジタルデータの誤り訂正を行う誤り訂正部と、
検出された前記信号の状態が前記誤り訂正部で誤り訂正不可能な状態かどうかを判断する訂正不能判断手段と、
検出された前記信号の状態が前記誤り訂正部で誤り訂正不可能な状態であると判断された場合、少なくとも前記誤り訂正部へクロックを供給しないまたは前記誤り訂正部へ供給するクロックの時間間隔を所定の時間間隔より遅くするよう制御する制御手段とを備え、
前記リードチャネル部は、前記信号をパーシャルレスポンス等化する等化器を有し、
前記信号状態検出手段は、前記パーシャルレスポンス等化した多値信号のレベルを判別し、前記判別したレベルの時系列に連続するパターンと予め定められたパターンとが一致するか否かを判定した結果を前記訂正不能判断手段に出力し、
前記訂正不能判断手段は、前記信号状態検出手段から入力される判定結果に基づいて前記信号が前記誤り訂正部で誤り訂正不可能な状態かどうかを判断する、データ再生装置である。
【００２０】
また、第２の本発明（請求項２に対応）は、前記制御手段は、検出された前記信号の状態が前記誤り訂正部で誤り訂正不可能な状態であると判断された場合、前記制御を行うとともに、読み出された前記信号のうち前記誤り訂正不可能な状態であると判断された部分に対応する前記デジタルデータの部分を読み出された前記信号として前記記録媒体から再度読み出すよう制御し、その再度読み出された前記信号の状態が前記誤り訂正部で誤り訂正不可能な状態であるとは判断されなかった際、前記誤り訂正部へ前記クロックを供給するまたは前記誤り訂正部へ供給する前記クロックの時間間隔を所定の時間間隔にするよう制御する、第１の本発明のデータ再生装置である。
【００２１】
また、第３の本発明（請求項３に対応）は、前記制御手段は、検出された前記信号の状態が前記誤り訂正部で誤り訂正不可能な状態であると判断された場合、前記制御を行うとともに、読み出された前記信号のうち前記誤り訂正不可能な状態であると判断された部分に対応する前記デジタルデータの部分の次に読み取るべき部分を次に読み出された前記信号として前記記録媒体から読み出すよう制御し、次に読み出された前記信号の状態が前記誤り訂正部で誤り訂正不可能な状態であるとは判断されなかった際、前記誤り訂正部へ前記クロックを供給するまたは前記誤り訂正部へ供給する前記クロックの時間間隔を所定の時間間隔にするよう制御する、第１の本発明のデータ再生装置である。
【００２３】
また、第４の本発明（請求項４に対応）は、読み出された前記信号の状態を検出するとは、前記検出したレベルの連続するパターンが予め定められたパターンと異なることを読み出された前記信号の状態が不良であるとして検出することであり、
前記訂正不能判断手段は、前記信号状態検出手段が所定の期間に前記信号の状態が不良であることを検出した検出数をカウントし、前記検出数が所定の基準値を上回った場合、前記誤り訂正部で誤り訂正不可能と判断する、第１〜３の本発明のいずれかのデータ再生装置である。
【００２５】
また、第５の本発明（請求項５に対応）は、前記信号状態検出手段は、前記デジタルデータの記録符号と前記パーシャルレスポンスの組合せによって決定されるパターンと異なるパターンを検出することによって、読み出された前記信号が不良であることを検出する、第４の本発明のデータ再生装置である。
【００２６】
また、第６の本発明（請求項６に対応）は、前記信号状態検出手段は、予め定められたパーシャルレスポンスのパターンと異なるパターンを検出することによって、読み出された前記信号が不良であることを検出する、第４の本発明のデータ再生装置である。
【００３２】
また、第７の本発明（請求項７に対応）は、前記信号状態検出手段は、前記デジタルデータの記録符号と前記パーシャルレスポンスの組合せによって決定されるパターンを検出することによって及び／または予め定められたパーシャルレスポンスのパターンと異なるパターンを検出することによって、読み出された前記信号の不良を検出する、第４の本発明のデータ再生装置である。
【００３８】
このように本発明は、前記訂正不能判断手段により誤り訂正不能と判断された場合、少なくとも前記誤り訂正部を停止することにより、消費電力を低減することが出来る。
【００３９】
また、本発明は、前記制御部は、前記訂正不能判断手段での訂正不能判断と、前記誤り検出部での誤り検出との結果を観察し、誤り訂正可能な、または誤り訂正可能な確率が高い時のみ前記誤り訂正部を動作させ、消費電力を低減することが出来る。
【００４０】
【発明の実施の形態】
以下に、本発明の実施の形態を図面を参照して説明する。
【００４１】
本発明のデータ再生装置は、一例として、記録媒体から再生された信号をデジタルデータに復調するリードチャネル部と、前記再生された信号の状態を検出する信号状態検出手段と、誤り訂正を行う誤り訂正部と、前記信号状態検出手段により検出された信号の状態が、前記誤り訂正部の誤り訂正能力を上回るか否かを判断する訂正不能判断手段とを備え、前記訂正不能判断手段により誤り訂正不能と判断された場合、前記誤り訂正部を停止することにより、消費電力を低減することを実現しうるものである。
【００４２】
また、本発明のデータ再生装置は、一例として、復調されたデータに誤りがあるか否かを検出する誤り検出部と、少なくとも前記誤り訂正部の停止、起動を制御する制御部とを備え、前記制御部は、前記誤り検出部により誤りが検出され、さらに前記訂正不能判断手段により誤り訂正不能と判断されなかった場合に前記誤り訂正部を起動し、前記誤り検出部により誤りが検出されなかった場合、または前記訂正不能判断手段により誤り訂正不能と判断された場合に前記誤り訂正部が起動している時、前記誤り訂正部による誤り訂正が終了した後、少なくとも前記誤り訂正部を停止することにより、必要な時のみ前記誤り訂正部を動作させ、消費電力を低減することを実現しうるものである。
【００４３】
また、本発明のデータ再生装置は、一例として、上記発明において、前記訂正不能判断手段が前記信号状態検出手段の一定期間の検出数をカウントし、前記検出数が前記誤り訂正部の誤り訂正能力を上回った場合、訂正不能と判断し、前記読み出された信号の状態と、前記誤り訂正能力との比較を確実に行うことができ、前記訂正不能判断手段により誤り訂正不能と判断された場合、前記誤り訂正部を停止することにより、消費電力を低減することを実現しうるものである。
【００４４】
また、本発明のデータ再生装置は、一例として、上記発明において、前記信号状態検出手段がリードチャネル部での信号処理過程または信号処理結果から信号の状態を検出し、早い時期での検出を可能とし、消費電力を低減することを実現しうるものである。
【００４５】
また、本発明のデータ再生装置は、一例として、上記発明において、前記信号状態検出手段が予め定められた記録符号のパターンと異なるパターンを検出する手段であり、簡単な構成で読み出された信号の状態を検出することができ、前記訂正不能判断手段により誤り訂正不能と判断された場合、前記誤り訂正部を停止することにより、消費電力を低減することを実現しうるものである。
【００４６】
また、本発明のデータ再生装置は、一例として、上記発明において、前記再生された信号をパーシャルレスポンス等化する等化器を備え、前記信号状態検出手段が予め定められたパーシャルレスポンスのパターンと異なるパターンを検出する手段であり、簡単な構成で読み出された信号の状態を検出することができ、前記訂正不能判断手段により誤り訂正不能と判断された場合、前記誤り訂正部を停止することにより、消費電力を低減することを実現しうるものである。
【００４７】
また、本発明のデータ再生装置は、一例として、上記発明において、前記信号状態検出手段が前記リードチャネル部で用いているＰＬＬのアンロック検出であり、ＰＬＬの不安定さを検出し、読み出された信号の状態を検出することができ、前記訂正不能判断手段により誤り訂正不能と判断された場合、前記誤り訂正部を停止することにより、消費電力を低減することを実現しうるものである。
【００４８】
また、本発明のデータ再生装置は、一例として、上記発明において、上記発明で記載されている信号状態検出手段のうち、複数により信号状態を検出し、より確実に読み出された信号の状態を検出することができ、前記訂正不能判断手段により誤り訂正不能と判断された場合、前記誤り訂正部を停止することにより、消費電力を低減することを実現しうるものである。
【００４９】
また、本発明のデータ再生装置は、一例として、上記発明において、前記読み出された信号を２値データへ復号する復号器をリードチャネル部に備え、前記復号器は予め定められた記録符号のパターンと異なるパターンを復号しない制約を設けていないものであって、前記信号状態検出手段は、前記復号器の復号結果から予め定められた記録符号のパターンと異なるパターンを検出する手段であり、確度の高い信号の状態検出をすることができ、前記訂正不能判断手段により誤り訂正不能と判断された場合、前記誤り訂正部を停止することにより、消費電力を低減することを実現しうるものである。
【００５０】
また、本発明のデータ再生装置は、一例として、上記発明において、前記信号状態検出手段が、前記読み出された信号をレベル検出するレベル検出回路と、前記レベル検出回路の出力から予め定められた記録符号のパターンと異なるパターンを検出するパターン検出回路とを備えるものであって、小規模な回路で信号の状態検出をすることができ、前記訂正不能判断手段により誤り訂正不能と判断された場合、前記誤り訂正部を停止することにより、消費電力を低減することを実現しうるものである。
【００５１】
また、本発明のデータ再生装置は、一例として、上記発明において、前記信号状態検出手段が、前記読み出された信号をレベル検出するレベル検出回路と、前記レベル検出回路の出力から予め定められたパーシャルレスポンスのパターンと異なるパターンを検出するパターン検出回路とを備えるものであって、小規模な回路で信号の状態検出することができ、前記訂正不能判断手段により誤り訂正不能と判断された場合、前記誤り訂正部を停止することにより、消費電力を低減することを実現しうるものである。
【００５２】
また、本発明のデータ再生装置は、一例として、上記発明において、前記再生された信号をパーシャルレスポンス等化する等化器をリードチャネル部に備え、上記発明に記載されたレベル検出回路は同一の回路であって、前記信号状態検出手段は、前記レベル検出回路と、前記レベル検出回路の出力から予め定められた記録符号のパターンと異なるパターンと、予め定められたパーシャルレスポンスのパターンと異なるパターンを検出するパターン検出回路とを備え小規模な回路でより確実に読み出された信号の状態を検出することができ、前記訂正不能判断手段により誤り訂正不能と判断された場合、前記誤り訂正部を停止することにより、消費電力を低減することを実現しうるものである。
【００５３】
また、本発明のデータ再生装置は、一例として、上記発明において、前記アンロック検出は、ＰＬＬの位相比較器の出力である位相誤差の大きさまたは前記位相誤差の大きさの一定期間の平均が、外部から設定できる設定値を超えた時アンロックを検出でき、前記設定値を変えることにより、自由度の高い信号の状態検出ができ、前記訂正不能判断手段により誤り訂正不能と判断された場合、前記誤り訂正部を停止することにより、消費電力を低減することを実現しうるものである。
【００５４】
また、本発明のデータ再生装置は、一例として、上記発明において、ＰＬＬのアンロックが検出され、その検出結果によって前記訂正不能判断手段が訂正不能と判断し、記録媒体から訂正不能と判断されたデータを再度読み出すリトライ処理を行う場合、ＰＬＬのループゲインまたは、初期周波数の設定を変化させて前記リトライ処理を行い、前記リトライ処理によって信号を読み出す時に、ＰＬＬがアンロックする確率を減少させ、訂正不能となった場合には前記誤り訂正部を停止することにより、消費電力を低減することを実現しうるものである。
【００５５】
（実施の形態１）
まず、本発明の実施の形態１を図１〜６を用いて説明する。
【００５６】
図１において、１１は記録媒体から読み出した信号を２値データに復号するまでの信号処理を行うリードチャネル部である。１２は前記２値データの復調、誤り訂正、データ転送を行うフォーマッター部である。１３はホストコンピュータ、１４はＣＰＵである。
【００５７】
１１０１は波形等化を行うイコライザーである。１１０２はＡＤ変換器である。１１０３はＦＩＲフィルターである。１１０４はＦＩＲフィルター１１０３の係数を演算するフィルタ係数演算部である。１１０５は最尤復号を行うビタビ復号器である。１１０６はＰＬＬで用いる位相比較器である。１１０７はＰＬＬで用いるループフィルタである。１１０８はＤＡ変換器である。１１０９は電圧制御オシレーター（ＶＣＯ）である。
【００５８】
記録媒体から読み出された信号は、アンプ等を通して、イコライザー１１０１に入力される。イコライザー１１０１でパーシャルレスポンス等化された信号は、ＡＤ変換器１１０２でデジタル変換されＦＩＲフィルター１１０３に入力される。前記ＦＩＲフィルター１１０３とフィルタ係数演算部１１０４による適応等化により、さらに等化を調整し、ビタビ復号器１１０５によって、最尤復号され２値データとなる。
【００５９】
以上のパーシャルレスポンス方式ＰＲと、ビタビ復号（最尤復号）ＭＬとを組み合わせる方式は、ＰＲＭＬ方式と呼ばれ、記録媒体への記録密度が向上してきた最近では、よく用いられるものである。パーシャルレスポンス方式ＰＲには様々な方式があり、方式の違いによってビタビ復号器ＭＬの構造も変化する。ＰＲＭＬ方式を用いた記録媒体から読み出された信号の２値化について、磁気記録媒体から読み出された信号にＰＲ（１，０，−１）方式とビタビ復号器ＭＬを組み合わせたＰＲ（１，０，−１）ＭＬ方式を用いた場合を例にとって説明する。
【００６０】
磁気記録媒体から磁気ヘッドを使って読み出された信号が、ＰＲ（１，０，−１）の特性から外れていた場合、イコライザー１１０１によってＰＲ（１，０，−１）の特性になるように等化される。このイコライザー１１０１には予め、記録媒体と磁気ヘッド等の特性に応じてイコライザー１１０１の出力がＰＲ（１，０，−１）等化されるように設定されている。図２に記録データ”１”に対するＰＲ（１，０，−１）等化後の波形の例を示す。
【００６１】
すなわち、図２の（ａ）は、記録データ”１”を磁気記録媒体に記録するために磁気ヘッドに流れる記録電流波形である。また、図２の（ｂ）は、（ａ）の電流波形によって磁気記録媒体に記録された記録データ”１”を、磁気ヘッドから読み出した信号をイコライザー１１０１によって等化した波形である。
【００６２】
前記イコライザー１１０１でほぼＰＲ（１，０，−１）等化された信号は、ＡＤ変換器１１０２によって、適切な位置でサンプリングされデジタル変換される。デジタル変換された信号は、ＦＩＲフィルター１１０３に入力される。ＦＩＲフィルター１１０３の目的は、これもＰＲ（１，０，−１）等化である。前述したようにイコライザー１１０１の特性は予め設定されており、固定である。よって、記録装置の違いによる記録特性の差異、記録媒体のむら、イコライザー１１０１の温度特性などさまざまな要因で、イコライザー１１０１の出力信号の等化がずれることは大いに考えられる。そこでＦＩＲフィルター１１０３とフィルタ係数演算部１１０４によって、適応的に等化を行っている。ここで、ＬＭＳアルゴリズムを用いた適応等化について簡単に述べる。
【００６３】
ＬＭＳアルゴリズムの式は
【００６４】
【数１】
ｈ（ｎ＋１）＝ｈ（ｎ）＋（１／２）＊μｅ（ｎ）ｕ（ｎ）
ｈ（ｎ）：適応前のフィルタ係数ベクトル
ｈ（ｎ＋１）：適応後のフィルタ係数ベクトル
μ：ステップサイズパラメター
ｅ（ｎ）：ｎ番目の繰り返し時の誤差信号
ｕ（ｎ）：ｎ番目の繰り返し時のタップ入力ベクトル
となる。また誤差信号ｅ（ｎ）は
【００６５】
【数２】
ｅ（ｎ）＝ｄ（ｎ）−ｕＴ（ｎ）ｈ（ｎ）
ｄ（ｎ）：望みの応答
ｕＴ（ｎ）：タップ入力ベクトルの転置
となる。
【００６６】
ＬＭＳアルゴリズムを動作させると誤差信号ｅ（ｎ）が最小つまり等化の誤差を最小にするように係数ベクトルｈ（n)が最適値ｈ０に近づいていく。ＦＩＲフィルター１１０３のフィルタ係数はこの様な適応アルゴリズムによって、最適値ｈ０に収束していき、信号の等化は調整される。なお、ここではＬＭＳアルゴリズムの説明を行ったが、フィルタ係数演算部１１０４は他の適応アルゴリズムを用いても良い。
【００６７】
次にビタビ復号器１１０５であるが、前記イコライザー１１０１と、前記ＦＩＲフィルター１１０３、フィルタ係数演算部１１０４とによって等化された信号を入力とし、最尤復号する。最尤復号は復号器入力信号系列の間に相関性がある時に特性改善が得られ、最も確からしいデータを復号するものである。この例ではＰＲ（１，０，−１）方式を適用することによって入力信号系列に間に相関性がもたらされているので、ビタビ復号器１１０５で２値データに復号することにより、特性改善が得られる。
【００６８】
ＰＲ（１，０，−１）ＭＬ方式の例を用いて、ＰＲＭＬについて簡単に述べる。図３に示すのは、ＰＲ（１，０，−１）方式の状態遷移図と呼ばれるものであって、ＰＲ（１，０，−１）等化された信号は必ずこの図の状態遷移をする。例えば、現在状態Ｓ０にあるとして、次の復号器への入力信号のレベルが１，０，−１の３値のうち０のレベルだと”０”、１のレベルだと”１”が復号される。状態Ｓ０の時、次の復号器への入力信号のレベルが−１になることはありえない。
【００６９】
ビタビ復号器を構成する要素には、パスメトリックと呼ばれる、ある時それぞれの状態である確率がどの程度かをあらわすものと、ブランチメトリックと呼ばれる、それぞれの状態から次の状態に遷移する時どの程度の確率で遷移するのかをあらわすものがあり、ある時のそれぞれの状態に到るまでのブランチメトリックの合計がパスメトリックである。
【００７０】
図３で説明すると、ある時にＳ０、Ｓ１、Ｓ２、Ｓ３のそれぞれの状態にある確率を表すのがパスメトリック、それぞれの状態から出ている矢印をどの程度の確率で通るのかを表すのがブランチメトリックである。これらの演算によって、最も確からしいデータを復号していく。
【００７１】
一方、ＡＤ変換器１１０２による適切な位置でのサンプリングはＰＬＬ回路を用いることによって行われている。位相比較器１１０６によって、サンプリングされた信号から位相誤差を検出する。位相誤差を検出する方法はいくつかあるが１つ例を取ると、図４の様にサンプリングされた信号の０クロス点の信号の符号、大きさ、傾を見ることによって、位相誤差の大きさと方向を決める方法がある。
【００７２】
前記位相誤差をループフィルタ１１０７に通してリードクロックのコントロール信号を生成する。ＤＡ変換器１１０８でアナログ変換された前記コントロール信号は、ＶＣＯ１１０９に入力され、リードクロックを調整する。このようにして適切なサンプリングポイントでサンプリングを行っている。なお、このＰＬＬの構成は本実施の形態の一つであって、他の構成を用いても良い。
【００７３】
以上の様にして、リードチャネル部１１では記録媒体から読み出された信号から２値データを得ている。
【００７４】
リードチャネル部１１から出力された２値データは、復調、誤り訂正、ホストコンピュータ１３へのデータ転送を行うフォーマッター部１２へ入力される。１２１は記録符号の復調を行う復調部である。１２２は復調されたデータを書き込むメモリである。１２５は復調されたデータから誤りを検出する誤り検出部である。１２６は復調されたデータの誤りを訂正する誤り訂正部である。１２４はホストコンピュータ１３へデータを転送するホストインターフェースである。１２３は各ブロックからのメモリ１２２へのアクセスを調停するメモリマネージャである。１２８はシステムへクロックを供給するクロック発生装置である。１２７はシステムへの制御命令を行うＣＰＵ１４とシステムとのインターフェースである。１２９はフォーマッター部１２の各ブロックへの制御を行う制御部である。
【００７５】
フォーマッター部１２へ入力された２値データは、まず復調部１２１によって記録符号の復調が行われる。復調されたデータはメモリマネージャ１２３を介してメモリ１２２に書き込まれ、同時に誤り検出部１２５でシンドローム計算を行い、誤りを検出する。誤りが検出された場合、その旨を制御部１２９に伝え、制御部１２９は誤り訂正部１２６を起動し、誤り訂正部１２６は誤り訂正を行う。誤りが検出されなかった場合には、誤り訂正部１２６は起動しない。誤りを訂正されたデータはホストインターフェース１２４によって、ホストコンピュータ１３へ転送される。
【００７６】
ただし、この例は誤りが少なく、誤り訂正を行わなくとも読めるデータが多い場合の構成であって、誤りが必ずといっていいほどあり、誤り訂正処理をほとんど起動している場合には、誤り検出部１２５は必要ない。図１の例のように、誤り検出を、前もって行うのは、誤り検出部１２５で誤りが検出されなかった場合、誤り訂正部１２６を起動しなくとも良いという利点があるからである。
【００７７】
以上の様にして、リードチャネル部１１で２値化されたデータは、フォーマッター部１２で、復調、誤り訂正、ホストコンピュータ１３への転送をされる。
【００７８】
次に、リードチャネル部１１において記録媒体から読み出された信号の状態を検出する手段として信号状態検出部１１１０がある。この例では、信号状態検出部１１１０への入力として、ＡＤ変換器１１０２の出力をとっている。この場合、信号状態検出部１１１０では以下の様にして信号の状態を検出する方法がある。
【００７９】
記録媒体にデータが記録される時、データは特定の変調方式、符号化方式を用いられている。例えば２ＨＤのフロッピーディスク等に使用されているＭＦＭ変調方式である。ＭＦＭ変調方式には制約があり、変調されたデータは２Ｔから４Ｔまでのデータしか存在しなくなる。この制約が予めわかっているので、１Ｔまたは５Ｔ以上の信号または復号データ検出すれば良い。
【００８０】
例を図５に示す。この例はＰＲ（１，０，−１）等化された信号をサンプリングした時の例である。図５に示す様に１、０、−１の３値のレベル検出を用いて、存在し得ないパターンを検出することができる。図５の（ａ）の例において、（ａ−１）に示すＡＤ変換器１１０２の出力に対して、（ａ−２）では、しきい値を引いて信号を１、０、−１の３値にレベル検出している。また、（ａ−３）は、レベル検出された信号を復号したデータを示している。ここで、ＰＲ（１，０，−１）方式の場合、１Ｔが存在しないときは、３値の１や−１のレベルが単独で存在することは有り得ず、必ず２つ連続している。例をあげると、レベル０の次にレベル１となったらその次は必ずレベル１である。このように単独で存在しているレベル１、−１を検出することによって存在し得ないパターンである１Ｔを検出する方法がある。
【００８１】
また、図５の（ｂ）の例において、（ｂ−１）に示すＡＤ変換器１１０２の出力に対して、（ｂ−２）では、しきい値を引いて信号を１、０、−１、の３値にレベル検出している。また、（ｂ−３）はレベル検出された信号を復号したデータを示している。図５の（ｂ）の例では、５Ｔを検出している。３値レベルのレベル０が３つ以上連続で存在する為には、５Ｔ以上のデータもしくは１Ｔの連続でしか有り得ない。よって、レベル０が３つ以上連続で存在する場合を検出する方法があり、これらは簡単な回路で実現できる。
【００８２】
また、この例の様にイコライザー１１０１によって記録媒体から読み出された信号を特定の周波数成分に等化し、符号間干渉を適用するパーシャルレスポンス方式を用いているリードチャネル部１１では、前述したように、その時用いているパーシャルレスポンス方式特有の状態遷移をするという制約がある。例えばＰＲ（１，０，−１）方式を用いている場合には図３に示すような状態遷移をすることが予めわかっている。よって、構成としては図６の様にレベル検出を用いて３値化し、図３の状態遷移図を回路化したものに入力することによって、存在し得ないパターンがあるとそれを検出することが容易にできる。
【００８３】
上記を具体的に説明すると、ＡＤ変換器１１０２の出力を上記のレベル検出を用いて３値化したデータが図６の（ａ）のようになったとする。この場合、まず先頭の信号は−１であり、２番目の信号は０である。従って、図３の状態遷移図では、先頭の信号が入力された時点で、状態Ｓ３に遷移した（可能性１）かまたは状態Ｓ０に遷移した（可能性２）かの２つの可能性がある。次に２番目の信号である０が入力された時点で、可能性１については、さらに状態Ｓ３から状態Ｓ１に遷移した可能性（可能性１−１）がある。また、可能性２については、２番目の信号である０が入力された時点で、さらに状態Ｓ０から状態Ｓ０に遷移した可能性（可能性２−１）がある。次に、３番目の信号である０が入力された時点で、可能性１−１については、さらに状態Ｓ１から状態Ｓ３に遷移した可能性（可能性１−１−１）がある。また、可能性２−１については、さらに状態Ｓ０からＳ０に遷移した可能性（可能性２−１−１）がある。次に４番目の信号である０が入力された時点で、可能性１−１−１については、さらに状態Ｓ３から状態Ｓ１に遷移した可能性（可能性１−１−１−１）がある。また、可能性２−１−１については、さらに状態Ｓ０から状態Ｓ０に遷移した可能性がある。ところが、５番目の信号である−１が入力される際には、可能性１−１−１−１では、状態Ｓ１にいる可能性があり、この状態で−１が入力されることはあり得ない。従って、可能性１から１−１−１−１までの可能性はすべてあり得ないことになる。また、可能性２−１−１−１では、状態Ｓ０にいる可能性があり、この状態で−１が入力されることはあり得ない。従って、可能性２から可能性２−１−１−１までの全ての可能性はあり得ないことになる。このようにして状態Ｓ０または状態Ｓ１で入力信号レベルが−１になることがあり得ないことを検出することによって、存在し得ないパターンを検出することが出来る。
【００８４】
また、ＡＤ変換器１１０２の出力を上記のレベル検出を用いて３値化したデータが図６の（ｂ）のようになったとする。この場合には上記と同様にして、状態Ｓ２で信号レベルが１になることはあり得ないことを検出することによって、存在し得ないパターンを検出することが出来る。
【００８５】
また前述したレベル検出を利用したパターン検出は、予め定められたパーシャルレスポンスのパターンと異なるパターンと、予め定められた記録符号のパターンと異なるパターンとを、両者同時に検出する場合には、回路を一体化し、回路規模の削減と、検出の精度とを向上させうる。
【００８６】
以上の検出方法を用いて、信号の異常状態を検出し、訂正不能判断部１１１１で、誤り訂正部１２６での訂正能力を上回るか否かを判断する。判断の方法としては、信号状態検出部１１１０での検出数をカウントし、その検出数が、１２６の誤り訂正部での訂正能力を確実に上回る場合に訂正不能信号を出力する方法がある。なお、ここでは信号状態検出部１１１０と訂正不能判断部１１１１はリードチャネル部１１に存在しているが、これらが存在する場所はリードチャネル部１１でなくともよく、本実施の形態に限定される物ではない。
【００８７】
前記訂正不能信号は、フォーマッター部１２の制御部１２９に入力され、前記制御部１２９は誤り訂正部１２６へ誤り訂正不能になったデータブロックの誤り訂正を行わないように制御信号を発する。また、誤り検出部１２５等も、誤り検出する必要が無い為停止することができる。クロック発生装置１２８は、誤り訂正部１２６が誤り訂正処理をしていない時、誤り訂正部に供給される不必要なクロックの供給を停止することができ、その他のブロックへのクロック供給も必要に応じて停止できる構成となっている。
【００８８】
さらに、制御部１２９は、訂正不能信号を受けた場合に上記のようにクロックの供給を停止するよう制御するとともに、訂正不能になったデータブロックを読み出し信号として再度読み出し、上記の処理を繰り返す。
【００８９】
なお、本実施の形態では、制御部１２９は、訂正不能信号を受けた場合に訂正不能になったデータブロックを読み出し信号として再度読み出すよう制御するとして説明したが、これに限らず、制御部１２９は、訂正不能信号を受けた場合に訂正不能になったデータブロックの次に読み取るべきデータブロックを読み出し信号として読み出しても構わない。例えば途切れなく連続転送することが非常に重要なＡＶデータを読み出す場合には、このようにすればＡＶデータを途切れなく読み出すことが出来る。
【００９０】
なお、本実施の形態で誤り訂正部１２６を起動している状態とは、上記のように誤り訂正部１２６が動作するためのクロックを誤り訂正部１２６に供給していることを意味しており、また本実施の形態で誤り訂正部１２６を停止している状態または起動していない状態とは、誤り訂正部１２６が動作するためのクロックを誤り訂正部１２６に供給していない状態を意味する。
【００９１】
なお、本実施の形態では、誤り訂正が不可能であることが解った時点で、誤り訂正部１２６などが動作するためのクロックを誤り訂正部１２６などに供給しないとして説明したが、誤り訂正が不可能であることが解った時点で、誤り訂正部１２６などが動作するためのクロックの時間間隔を所定の時間間隔より遅くしても構わない。このようにクロックの時間間隔を所定の時間間隔より遅くすることによってに消費電力の低減を実現することが出来る。
【００９２】
なお図１のリードチャネル部１１はＰＲＭＬ方式を用いたものであるが、例えば、パーシャルレスポンス方式とピーク検出を組み合わせたものと位相同期回路などでも良く、本実施の形態に限定される物ではない。同様にフォーマッター部１２の構成も本実施の形態に限定される物ではなく、例えば、クロック発生装置１２８やＣＰＵインターフェイス１２７などが存在するのはフォーマッター部１２でなくとも良い。
【００９３】
（実施の形態２）
次に、本発明の実施の形態２について図５、図７、図８を用いて説明する。なお、前述した実施の形態と同じ構成については同じ符号を用い、説明を省略する。
【００９４】
図７において、７１は記録媒体から読み出した信号を２値データに復号するまでの信号処理を行うリードチャネル部である。７２は前記２値データの復調、誤り訂正、データ転送を行うフォーマッター部である。
【００９５】
７１３は予め定められた記録符号と異なるパターンを復号しない制約を設けていないビタビ復号器である。７１１はリードチャネル部７１において記録媒体から読み出された信号の状態を検出する信号状態検出部である。この例では、信号状態検出部７１１への入力として、ビタビ復号器７１３の出力と、位相比較器１１０６の出力をとっている。この場合、信号状態検出部７１１では以下の様にして信号の状態を検出する方法がある。
【００９６】
まず信号状態検出部７１１への入力として、ビタビ復号器７１３の出力がある場合、例として記録符号がＭＦＭ変調の時は、図５の（ａ）の例における（ａ−３）及び（ｂ）の例における（ｂ−３）に示すように、復号結果である２値データから、ＭＦＭ変調に有り得ないパターン１Ｔまたは５Ｔ以上を検出することは容易であり、ここで検出された情報は確実なものである。
【００９７】
次に信号状態検出部７１１への入力として、位相比較器１１０６の出力がある場合、信号状態検出手段としては図８のような構成が考えられる。８１は整流回路である。８２は平滑回路である。８３は比較器である。位相誤差は、整流回路８１、平滑回路８２を通って位相誤差量となり、比較器８３によって、予め設定しておいた設定値と比較される。比較器８３は設定値より位相誤差量の方が大きい場合アンロックであると判定する。この構成は、位相誤差量がＰＬＬロック時にはアンロック時と比較して小であることを利用したアンロック検出回路である。この検出方法は前記設定値を変えることによって、自由度の高い検出が行える。無論、他のアンロック検出の構成でも良い。
【００９８】
以上の２つの信号状態検出手段を用いる場合、訂正不能判断部７１２は、前述の信号状態検出手段と後述の信号状態検出手段とによる検出数をそれぞれカウントし、前述信号状態検出手段による検出数が最大誤り訂正数を上回る場合に訂正不能信号Ａを、後述の信号状態検出手段による検出数が誤り訂正能力を確実に上回る場合には訂正不能信号Ｂを出力する。
【００９９】
前記訂正不能信号Ａと前記訂正不能信号Ｂは、フォーマッター部７２の各ブロックの制御を行う制御部７２１に入力される。２本の訂正不能信号のうちどちらか一方でも検知すると、制御部７２１は、誤り訂正部１２６を起動しない。また、２本の訂正不能信号のうちどちらも検知しない場合には、誤り検出部１２５によって、誤りが検知された時のみ誤り訂正部１２６を起動する。このように、読み出された信号の状態を複数の検出方法で検出することによって、より確実に訂正不能になることを検知することができる。
【０１００】
前記２本の訂正不能信号のうちどちらか一方でも検知すると、誤り訂正不能であるので、制御部７２１は誤り訂正不能であったデータを記録媒体から再度読み出すリトライ処理を行う為、フォーマッター部７２の各ブロックの準備を整えるように制御する。
【０１０１】
前記訂正不能信号Ｂが検知されると、すなわちＰＬＬがアンロック状態であるということである。このままリトライ処理を行ったとしても、ＰＬＬがアンロック状態である可能性が高いので、前記訂正不能信号Ｂが検知されてからリトライ処理を行うまでの間に、ＣＰＵ１４がＰＬＬの初期周波数またはループゲインの設定を変化させることによって、リトライ処理時、ＰＬＬがロックする確率を向上させることができる。
【０１０２】
無論リトライ処理を行っている間に、訂正不能信号が検出されると、前記誤り訂正部は起動せず、消費電力の低減が成されている。なお図７のリードチャネル部７１はＰＲＭＬ方式を用いたものであるが、例えば、ピーク検出と位相同期とを用いた検出方法でも良く、本実施の形態に限定される物ではない。同様にフォーマッター部７２の構成も本実施の形態に限定される物ではなく、例えば、クロック発生装置１２８やＣＰＵインターフェイス１２７などが存在するのはフォーマッター部７２でなくとも良い。
【０１０３】
このように本実施の形態は、再生データの品質が悪い場合に、誤り訂正不能であることを早い時期に検知でき、すくなくとも誤り訂正部を停止し、消費電力を低減することが出来るというすぐれた特徴を有する。
【０１０４】
なお、本実施の形態では、記録符号がＭＦＭ変調の場合に記録符号にはあり得ないパターンを検出する例について説明したが、これに限らない。記録符号がＣＤ−ＲＯＭやＤＶＤ−ＲＯＭなどに記録するための他の変調方式で変調されている場合についても、上記実施の形態と同様にして記録符号にはあり得ないパターンを検出することが出来る。従って、本実施の形態の記録媒体として、フロッピーデスクのみならず、ＤＶＤ−ＲＯＭ、ＤＶＤ−ＲＡＭ、ＤＶＤ−ＲＷ、ＣＤ−ＲＯＭ、ＣＤ−Ｒ、ＣＤ−ＲＷなどに記録されているデータを再生する場合にも本実施の形態を適用することにより、データ再生装置の消費電力を低減することが出来る。
【０１０５】
さらに、本実施の形態では、誤り訂正が不可能であると判断された場合には、誤り訂正が不可能であると判断されたデータの部分を再度読み出すリトライを行うとして説明したが、これに限らない。映像音声データ（ＡＶデータ）等を再生する場合には、誤り訂正が不可能であると判断された場合には、引き続き継続して誤り訂正が不可能であると判断された部分の次に読み出すべきデータを読み出しても構わない。このようにすれば本実施の形態と同様に消費電力を低減することが出来るとともに、ＡＶデータを途切れることなく連続的に再生することが出来る。
【０１０６】
なお、本実施の形態の信号状態検出部は本発明の信号状態検出手段の例であり、本実施の形態の訂正不能判断部は本発明の訂正不能判断手段の例であり、本実施の形態の制御部は本発明の制御手段の例である。
【０１０７】
以上のように、本実施の形態のデータ再生装置によれば、記録媒体から読み出される信号の状態を記録符号による制約違反、パーシャルレスポンス方式による制約違反、ＰＬＬのアンロック等から検出することができ、信号の状態が悪く誤り訂正不能となることを早い時期に検知でき、誤り訂正不能と判断された場合、誤り訂正部は停止し消費電力を低減するデータ再生装置を提供することが可能となる。
【０１０８】
なお、本発明は、上述した本発明のデータ再生装置の全部または一部の手段（または、装置、素子、回路、部等）の機能をコンピュータにより実行させるためのプログラムであって、コンピュータと協働して動作するプログラムである。
【０１０９】
なお、本発明の一部の手段（または、装置、素子、回路、部等）とは、それらの複数の手段またはステップの内の、幾つかの手段またはステップを意味し、あるいは、一つの手段またはステップの内の、一部の機能または一部の動作を意味するものである。
【０１１０】
また、本発明のプログラムを記録した、コンピュータに読みとり可能な記録媒体も本発明に含まれる。
【０１１１】
また、本発明のプログラムの一利用形態は、コンピュータにより読み取り可能な記録媒体に記録され、コンピュータと協働して動作する態様であっても良い。
【０１１２】
また、本発明のプログラムの一利用形態は、伝送媒体中を伝送し、コンピュータにより読みとられ、コンピュータと協働して動作する態様であっても良い。
【０１１３】
また、記録媒体としては、ＲＯＭ等が含まれ、伝送媒体としては、インターネット等の伝送媒体、光・電波・音波等が含まれる。
【０１１４】
また、上述した本発明のコンピュータは、ＣＰＵ等の純然たるハードウェアに限らず、ファームウェアや、ＯＳ、更に周辺機器を含むものであっても良い。
【０１１５】
なお、以上説明した様に、本発明の構成は、ソフトウェア的に実現しても良いし、ハードウェア的に実現しても良い。
【０１１６】
【発明の効果】
以上説明したところから明らかなように、本発明は、消費電力を低減することが出来るデータ再生装置、データ再生方法、及びプログラムを提供することが出来る。
【図面の簡単な説明】
【図１】本発明の実施の形態１におけるデータ再生装置の回路図
【図２】実施形態にあってパーシャルレスポンス方式を説明するための図
【図３】実施形態にあってパーシャルレスポンス方式の状態遷移を説明するための図
【図４】実施形態にあって位相比較器での位相誤差の検出を説明するための図
【図５】実施形態にあって記録符号の制約違反を検出するレベル検出を説明するための図
【図６】実施形態にあってパーシャルレスポンス方式の制約違反を検出するレベル検出を説明するための図
【図７】本発明の実施の形態２におけるデータ再生装置の回路図
【図８】実施形態にあってＰＬＬのアンロック検出の構成図
【符号の説明】
１１  リードチャネル部
１２  フォーマッター部
１３  ホストコンピュータ
１４  ＣＰＵ
１１０１  イコライザー（等化器）
１１０２  ＡＤ変換器
１１０３  ＦＩＲフィルタ（等化器）
１１０４  フィルタ係数演算部
１１０５  ビタビ復号器
１１０６  位相比較器
１１０７  ループフィルタ
１１０８  ＤＡ変換器
１１０９  ＶＣＯ
１１１０  信号状態検出部（信号状態検出手段）
１１１１  訂正不能判断部（訂正不能判断手段）
１２１  復調回路
１２２  メモリ
１２３  メモリマネージャ
１２４  ホストインターフェース
１２５  誤り検出部
１２６  誤り訂正部
１２７  ＣＰＵインターフェース
１２８  クロック発生装置
１２９  制御部
７１  リードチャネル部
７２  フォーマッター部
７１１  信号状態検出部（信号状態検出手段）
７１２  訂正不能判断部（訂正不能判断手段）
７１３  ビタビ復号器
７２１  制御部
８１  整流回路
８２  平滑回路
８３  比較器
【図１】
0003693592.tif 000002
【図２】
0003693592.tif 000003
【図３】
0003693592.tif 000004
【図４】
0003693592.tif 000005
【図５】
0003693592.tif 000006
【図６】
0003693592.tif 000007
【図７】
0003693592.tif 000008
【図８】
0003693592.tif 000009